【手続補正書】
【提出日】平成17年10月17日(2005.10.17)
【手続補正１】
【補正対象書類名】特許請求の範囲
【補正対象項目名】全文
【補正方法】変更
【補正の内容】
【特許請求の範囲】
【請求項１】
基板と、
該基板に関連付けされ、アドレス指定可能なディスプレイ２モード分子着色剤層と、
該分子着色剤層に関連付けされ、少なくとも２つの視覚的に区別可能な状態間で前記層の着色剤分子を選択的に切替えるために取り付けられるアドレス指定装置と
を備える電子的にアドレス指定可能なディスプレイ。
【請求項２】
前記２つの区別可能な状態のうちの第１の状態は透明状態である、請求項１に記載の電子的にアドレス指定可能なディスプレイ。
【請求項３】
前記２つの区別可能な状態のうちの第２の状態は不透明な色状態である、請求項２に記載の電子的にアドレス指定可能なディスプレイ。
【請求項４】
前記２モード分子着色剤層は、分子システムを含んでおり、該システムはエレクトロクロミック特性を有し切替え可能な分子を含み、該分子はそれぞれ、前記少なくとも２つの光学的に区別可能な状態間で選択的に切替え可能であり、該システムは前記基板上に分布させることができて、ディスプレイ画面領域を形成するものである、請求項１に記載の電子的にアドレス指定可能なディスプレイ。
【請求項５】
前記着色剤分子は、電界誘起のバンドギャップ変化を示す、請求項１に記載の電子的にアドレス指定可能なディスプレイ。
【請求項６】
前記電界誘起のバンドギャップ変化は、(１)分子配座変化あるいは異性化、(２)化学結合の変化による拡張された共役状態の変化によってバンドギャップを変化させること、(３)分子折りたたみあるいは延伸を含む群から選択される仕組みによって生じるものである、請求項５に記載の電子的にアドレス指定可能なディスプレイ。
【請求項７】
前記電界誘起のバンドギャップ変化は、分子配座変化あるいは異性化によって生じる、請求項５に記載の電子的にアドレス指定可能なディスプレイ。
【請求項８】
前記分子システムを形成する前記分子は、少なくとも１つのステータ部および少なくとも１つのロータ部をさらに含み、該ロータ部は電界をかけられると第１の状態から第２の状態に回転し、該第１の状態においては、前記分子システム全体にわたって拡張された共役状態を生じさせ、結果としてバンドギャップが相対的に小さくなり、該第２の状態においては、前記拡張された共役状態が破壊され、バンドギャップが相対的に大きくなる、請求項７に記載の電子的にアドレス指定可能なディスプレイ。
【請求項９】
かけられる電界の方向によって、前記第１の状態においては、前記着色剤分子は全体を通して共役が強い状態になり、相対的に小さなバンドギャップを有し、前記第２の状態においては、前記着色剤分子は全体を通して共役が弱い状態になり、相対的に大きなバンドギャップを有する、請求項１に記載の電子的にアドレス指定可能なディスプレイ。
【請求項１０】
前記電界誘起のバンドギャップ変化は、化学結合の変化によって拡張された共役状態を変化させて、バンドギャップを変化させることにより生じる、請求項５に記載の電子的にアドレス指定可能なディスプレイ。
【請求項１１】
前記電界誘起のバンドギャップ変化は、バンド局在性を増減することに伴って生じる電荷の分離あるいは再結合により拡張された共役状態を変化させることにより生じる、請求項１０に記載の電子的にアドレス指定可能なディスプレイ。
【請求項１２】
電界がかけられると第１の状態から第２の状態への変化が生じ、該変化は、該第１の状態から該第２の状態に変化する際に電荷が分離して、バンドギャップが相対的に大きな状態になり、ｐ非局在性が小さくなること、および該第２の状態から該第１の状態に変化する際に電荷が再結合し、バンドギャップが相対的に小さな状態になり、ｐ非局在性が大きくなることを伴う、請求項１１に記載の電子的にアドレス指定可能なディスプレイ。
【請求項１３】
前記電界誘起のバンドギャップ変化は、電荷の分離あるいは再結合およびｐ結合の破壊あるいは形成により拡張された共役状態を変化させることによって生じる、請求項５に記載の電子的にアドレス指定可能なディスプレイ。
【請求項１４】
電界がかけられるときに第１の状態から第２の状態への変化が生じ、該変化は、該第１の状態から該第２の状態に変化する際に電荷が分離することを伴い、該第１の状態においては、全体を通して拡張された共役状態が生じ、結果としてバンドギャップが相対的に大きな状態になり、該第２の状態においては、前記拡張された共役状態が破壊され、分離された正および負の電荷が生成され、結果としてバンドギャップが相対的に小さな状態になる、請求項１３に記載の電子的にアドレス指定可能なディスプレイ。
【請求項１５】
前記電界誘起のバンドギャップ変化は、分子の折りたたみあるいは延伸によって生じる、請求項５に記載の電子的にアドレス指定可能なディスプレイ。
【請求項１６】
前記着色剤分子は３つの部分を有し、第１の部分および第３の部分はそれぞれ第２の中央部分に結合され、電界がかけられると第１の状態から第２の状態への変化が生じ、該変化は該第２の部分を中心にした、あるいは該第２の部分の折りたたみあるいは延伸を伴い、該第１の状態においては、拡張された共役状態が生じ、結果としてバンドギャップが相対的に小さな状態になり、該第２の状態においては、前記拡張された共役状態が破壊され、結果としてバンドギャップが相対的に大きな状態になる、請求項１５に記載の電子的にアドレス指定可能なディスプレイ。
【請求項１７】
前記着色剤分子は、前記ディスプレイ層の個別のアドレス指定可能画素を形成するように配列される、請求項１に記載の電子的にアドレス指定可能なディスプレイ。
【請求項１８】
前記アドレス指定装置は、選択された前記画素を透明状態と有色状態との間で切替えるように構成される、請求項１７に記載の電子的にアドレス指定可能なディスプレイ。
【請求項１９】
前記アドレス指定装置は、選択された前記画素を２つの視覚的に異なる色状態の間で切替えるように構成される、請求項１７に記載の電子的にアドレス指定可能なディスプレイ。
【請求項２０】
前記着色剤分子は双安定性であり、不揮発性構成要素を提供する、請求項1に記載の電子的にアドレス指定可能なディスプレイ。
【請求項２１】
前記着色剤分子は、異なる前記状態間に低い活性化障壁を有し、その問の高速で揮発性の切替えを可能にする、請求項１に記載の電子的にアドレス指定可能なディスプレイ。
【請求項２２】
前記着色剤分子は、増減する電界をかけることにより前記層の光学特性が連続して調整され、揮発性スイッチを形成することができるように、あるいは選択されたディスプレイ領域の色が電圧パルスを加えることにより急峻に変更され、少なくとも１つの分子活性化障壁が切替えられるように切替え可能な３つ以上の前記状態を有する、請求項１に記載の電子的にアドレス指定可能なディスプレイ。
【請求項２３】
コンピュータ装置内にある請求項１に記載の電子的にアドレス指定可能なディスプレイ。
【請求項２４】
電子機器内にある請求項１に記載の電子的にアドレス指定可能なディスプレイ。
【請求項２５】
前記電子機器は、試験およびモニタ用機器、楽器、通信装置、パーソナルコンピューティング装置、デジタル写真機あるいは画像投影装置を含む群の内の機器である、請求項２４に記載の電子的にアドレス指定可能なディスプレイ。
【請求項２６】
機器ハウジングと、
該ハウジングに収容されるディスプレイ装置であって、２モード分子着色剤のピクセルアレイを形成する少なくとも１つの書込み可能なイメージング層と、該イメージング層の着色剤分子を選択的に切替えるために取り付けられるアドレス指定装置とを有する、ディスプレイ装置と
を含む電子機器。
【請求項２７】
前記イメージング層に隣接して、黒色、白色あるいは所定の色の背景層を含み、前記アドレス指定装置は透明な向きと色を示す向きとの間で前記着色剤分子を切替え、該色を示す向きの前記着色剤分子に対して前記透明の向きの前記着色剤分子を通して見られる際に、前記背景層が高いコントラストを与えるようにする、請求項２６に記載の装置。
【請求項２８】
前記イメージング層は、第1の状態を有する着色剤分子をさらに含み、前記分子から形成される画素が該第１の状態において黒色あるいは白色を含む第１の色で表示され、また該着色剤分子は第２の状態を有し、前記分子から形成される画素が、該第２の状態において白色および黒色を含む第２の色で表示され、該第１の状態の分子に対して視覚的に高いコントラストを提供するものである、請求項２６に記載の装置。
【請求項２９】
前記機器は、コンピュータ、配線され、固定された場所にあるタイプおよびポータブルタイプの両タイプのコンピューティング装置、計算機、電子ブック、モニタ機器、楽器あるいは楽譜台、ネットワーク接続されたワークステーション、携帯情報端末、電話、テレビ、試験装置、ビデオゲーム、あるいは有線または無線通信装置を含む群から選択される、請求項２６に記載の装置。
【請求項３０】
前記ディスプレイは幾何形状固定配置画面である、請求項２６に記載の装置。
【請求項３１】
前記ディスプレイは幾何形状伸縮可能配置用画面である、請求項２６に記載の装置。
【請求項３２】
ある表面上に２モード分子着色剤の概ね均質な層を置くステップと、
アドレス可能な画素として前記表面をマトリクスアドレス指定するために、前記表面に隣接してアドレス指定可能装置を配設するステップと
を含む、書換え可能ディスプレイ画面を製造する方法。
【請求項３３】
電界により変更可能な着色剤分子を有する着色剤分子を形成するステップをさらに含む請求項３２に記載の書換え可能ディスプレイ画面を製造する方法。
【請求項３４】
前記着色剤分子を配設するステップを含み、前記分子は少なくとも２モード性である、請求項３３に記載の書換え可能ディスプレイ画面を製造する方法。
【請求項３５】
前記着色剤分子を配設するステップを含み、前記分子は双安定性である、請求項３３に記載の書換え可能ディスプレイ画面を製造する方法。
【請求項３６】
１組の分子からなる各アドレス指定可能画素を形成するステップを含み、前記着色剤分子は電界誘起のバンドギャップ変化を示す、請求項３２に記載の書換え可能ディスプレイ画面を製造する方法。
【請求項３７】
(１)分子配座変化あるいは異性化、(２)化学結合変化による拡張された共役状態の変化、および(３)分子折りたたみあるいは延伸を含む群から選択される仕組みによって前記バンドギャップ変化を誘起することを含む請求項３６に記載の書換え可能ディスプレイ画面を製造する方法。
【手続補正２】
【補正対象書類名】明細書
【補正対象項目名】０００６
【補正方法】変更
【補正の内容】
【０００６】
しかしながら、現在、電子ドキュメント配信の明らかな利点に対して、コンピュータ表示されるドキュメントがハードコピー印刷物に対して品質が著しく劣っており、少なくとも読む際の快適性が劣っていることが不利に働いている。標準的な陰極線管（ＣＲＴ）ディスプレイおよびマトリクス液晶ディスプレイ（ＬＣＤ）は、市販の印刷物よりも約1桁だけ低い解像度で動作する。結果として、ドキュメント画像は通常、視認性を高めるためにディスプレイ上で拡大されるが、標準的なドキュメントページの一部しか一度に視認することができない。小さな文字、ならびにセリフおよび細線のような画像の細部は失われ、一方、大きな文字および画像の細部は、元のデータをグレースケール化することにより、エイリアシングが生じるか、あるいは不鮮明にされる。さらに、ＣＲＴディスプレイは可搬性が低く、利用者は、長時間にわたって、原則として一定の焦点距離かつ一定の姿勢でドキュメントを読む必要があるので、目および体への不快感に繋がる。フラットパネル、マトリクスＬＣＤ装置は軽量であり可搬性が高いため、焦点距離も合わせやすく、姿勢も変えられるが、コントラストが劣り、利用可能な視角が制限されるので、さらに読むのが不快になり、苛立つようになる。そのようなディスプレイの視認性は、装置が使用されている場所の周囲光によっても影響を及ぼされる。周囲光条件がよくなると、表示される画像あるいは情報の視認性が劣化する。